(57)【特許請求の範囲】
【請求項１】
防護区画に設置された端末装置から信号を受信し、当該信号に応じた処理を実行する火災受信機であって、
前記端末装置は、
前記防護区画に設置され、感知器信号を出力する火災感知器と、
前記防護区画に設置された噴射ヘッドから消火ガスを放出することを指示するための手動放出スイッチであって、利用者により操作されると起動信号を出力する手動放出スイッチと、
前記噴射ヘッドからの消火ガスの放出を緊急停止するための緊急停止スイッチであって、利用者により操作されると停止信号を出力する緊急停止スイッチと
を含み、
前記火災受信機は、
前記複数の端末装置に対してポーリングを行って信号を受信し、
前記感知器信号又は前記起動信号を受信後に、カウントダウンを開始し、
前記カウントダウンの終了前に前記停止信号を受信すると、前記カウントダウンを停止し、
前記カウントダウンが終了すると、前記噴射ヘッドから消火ガスを放出させ、
前記ポーリングでは、前記複数の端末装置の各々に対して通常応答タイミングが設定され、加えて、前記緊急停止スイッチに対してはさらに特別応答タイミングが設定される
ことを特徴とする火災受信機。
【請求項２】
前記火災受信機は、前記感知器信号又は前記起動信号に応じた処理よりも、前記停止信号に応じた処理を優先して実行することを特徴とする、請求項１に記載の火災受信機。
【請求項３】
前記火災受信機は、
前記起動信号と前記停止信号を、前記防護区画に設置された第１のガス消火制御装置を介して受信し、
前記第１のガス消火制御装置に対応づけて動作モードを記憶する記憶部を備え、
前記記憶部に記憶される動作モードが自動モードである場合には、前記感知器信号又は前記起動信号を受信すると、前記カウントダウンを開始し、前記記憶部に記憶される動作モードが手動モードである場合には、前記起動信号を受信したときのみ、前記カウントダウンを開始し、
前記記憶部において、前記第１のガス消火制御装置と同じ防護区画に設置された第２のガス消火制御装置と対応づけて、前記第１のガス消火制御装置と異なる動作モードが記憶されている場合に、前記起動信号を受信したときのみ、前記カウントダウンを開始するようにする
ことを特徴とする、請求項１又は２に記載の火災受信機。
【発明の詳細な説明】
【技術分野】
【０００１】
本発明は、火災受信機に関する。
【背景技術】
【０００２】
従来、二酸化炭素等の消火ガスを放出して火災を消火するガス系消火設備が知られている。例えば、特許文献１には、防護区画の各々に、火災を感知するための火災感知器と、消火ガスを放出するための噴射ヘッドと、消火ガスの放出を手動で行ったり、消火ガスの放出を非常停止したりするための操作箱とを備えるガス系消火設備が記載されている。このガス系消火設備はさらに、防護区画の外部に、消火ガスを貯蔵するための消火ガス貯蔵容器と、このガス系消火設備を制御する制御盤とを備えている。この制御盤は、ある防護区画において火災感知器により火災が感知されたり、操作箱の消火ガス放出スイッチが操作されたりすると、カウントダウンを開始し、その残り時間を盤面と操作箱に表示させる。そして、カウントダウンが終了すると、消火ガス貯蔵容器の開放弁を駆動して、対象の防護区画の噴射ヘッドから消火ガスを放出させる。
【先行技術文献】
【特許文献】
【０００３】
【特許文献１】特開２０１７−１８３３７号公報
【発明の概要】
【発明が解決しようとする課題】
【０００４】
上記のガス系消火設備では、操作箱に表示される残り時間が零になる前に非常停止操作を行ったとしても、信号の伝送遅延や制御盤における処理の遅れにより、制御盤におけるカウントダウンの停止処理が間に合わず、噴射ヘッドから消火ガスが放出されてしまう場合があった。
【０００５】
本発明は、このような事情に鑑みてなされたものであり、利用者が緊急停止スイッチを用いてカウントダウンの停止処理を遠隔で指示したときに、当該処理が火災受信機において実行されるまでに要する遅延時間を短縮することを目的とする。
【課題を解決するための手段】
【０００６】
上記の課題を解決するため、本発明に係る火災受信機は、防護区画に設置された端末装置から信号を受信し、当該信号に応じた処理を実行する火災受信機であって、前記端末装置は、前記防護区画に設置され、感知器信号を出力する火災感知器と、前記防護区画に設置された噴射ヘッドから消火ガスを放出することを指示するための手動放出スイッチであって、利用者により操作されると起動信号を出力する手動放出スイッチと、前記噴射ヘッドからの消火ガスの放出を緊急停止するための緊急停止スイッチであって、利用者により操作されると停止信号を出力する緊急停止スイッチとを含み、前記火災受信機は、前記感知器信号又は前記起動信号を受信すると、カウントダウンを開始し、前記カウントダウンの終了前に前記停止信号を受信すると、前記カウントダウンを停止し、前記カウントダウンが終了すると、前記噴射ヘッドから消火ガスを放出させ、前記停止信号を前記感知器信号よりも優先して受信することを特徴とする。
【０００７】
好ましい態様において、前記火災受信機は、前記感知器信号又は前記起動信号に応じた処理よりも、前記停止信号に応じた処理を優先して実行してもよい。
【０００８】
さらに好ましい態様において、前記火災受信機は、前記起動信号と前記停止信号を、前記防護区画に設置された第１のガス消火制御装置を介して受信し、前記第１のガス消火制御装置に対応づけて動作モードを記憶する記憶部を備え、前記記憶部に記憶される動作モードが自動モードである場合には、前記感知器信号又は前記起動信号を受信すると、前記カウントダウンを開始し、前記記憶部に記憶される動作モードが手動モードである場合には、前記起動信号を受信したときのみ、前記カウントダウンを開始し、前記記憶部において、前記防護区画に設置された第２のガス消火制御装置と対応づけて、前記第１のガス消火制御装置と異なる動作モードが記憶されている場合に、前記起動信号を受信したときのみ、前記カウントダウンを開始するようにしてもよい。
【発明の効果】
【０００９】
本発明によれば、利用者が緊急停止スイッチを用いてカウントダウンの停止処理を遠隔で指示したときに、当該処理が火災受信機において実行されるまでに要する遅延時間を短縮することができる。
【図面の簡単な説明】
【００１０】
【図１】ガス系消火設備１の構成の一例を示す図
【図２】ガス消火制御装置９の正面図
【図３】ガス消火制御装置９の内部構成を示す図
【図４】火災受信機１０の内部構成を示すブロック図
【図５】通常ポイントポーリングの一例を示すタイムチャートである。
【図６】受信動作の一例を示すフローチャートである。
【図７】動作モードが自動モードに設定されている防護区画に対する消火動作の一例を示すシーケンス図
【図８】動作モードが自動モードに設定されている防護区画に対する消火動作の一例を示すシーケンス図
【図９】動作モードが手動モードに設定されている防護区画に対する消火動作の一例を示すシーケンス図
【発明を実施するための形態】
【００１１】
１．実施形態
本発明の一実施形態に係るガス系消火設備１について、図面を参照して説明する。
１−１．構成
図１は、ガス系消火設備１の構成の一例を示す図である。同図に示すガス系消火設備１は、建物Ｂに設置されている。この建物Ｂは、それぞれ異なる防護区画である部屋Ｒ１〜Ｒ３と、監視室Ｒ４と、シリンダ室Ｒ５とを備える。これらの部屋のうち、防護区画である部屋Ｒ１〜Ｒ３の各々の内部には、火災感知器２、噴射ヘッド３、ベル４及びストロボ５が設置されている。また、部屋Ｒ１〜Ｒ３の各々の外部には、手動放出スイッチ６、緊急停止スイッチ７、放出表示灯８及びガス消火制御装置９が設置されている。監視室Ｒ４には、火災受信機１０が設置されている。シリンダ室Ｒ５には、消火ガス貯蔵容器１１、選択弁１２、起動用ガス容器１３及び中継器１４が設置されている。以下、ガス系消火設備１の各構成要素について説明する。
【００１２】
火災感知器２は、防護区画の天井に設置され、信号線を介して火災受信機１０と接続されている。火災感知器２は、火災を感知すると、感知器信号として作動信号を火災受信機１０に出力する。
【００１３】
噴射ヘッド３は、防護区画の天井に設置され、配管を介して消火ガス貯蔵容器１１と接続されている。噴射ヘッド３は、消火ガス貯蔵容器１１から供給される消火ガスを放出する。
【００１４】
ベル４は、防護区画内に噴射ヘッド３から消火ガスが放出されていることを警告するための音響装置である。ベル４は、防護区画の壁面に設置され、信号線を介してガス消火制御装置９と接続されている。ベル４は、ガス消火制御装置９から起動信号が入力されると、鳴動する。
【００１５】
ストロボ５は、防護区画内に噴射ヘッド３から消火ガスが放出されていることを警告するための照明装置である。ストロボ５は、防護区画の壁面に設置され、信号線を介してガス消火制御装置９と接続されている。ストロボ５は、ガス消火制御装置９から起動信号が入力されると、発光する。
【００１６】
手動放出スイッチ６は、防護区画内に噴射ヘッド３から消火ガスを放出することを指示するためのスイッチである。手動放出スイッチ６は、防護区画の出入口付近の壁面に設置され、信号線を介してガス消火制御装置９と接続されている。手動放出スイッチ６は、利用者により操作されると、ガス消火制御装置９に対して起動信号を出力する。
【００１７】
緊急停止スイッチ７は、防護区画内に噴射ヘッド３から消火ガスが放出されることを緊急停止するためのスイッチである。緊急停止スイッチ７は、防護区画の出入口付近の壁面に設置され、信号線を介してガス消火制御装置９と接続されている。緊急停止スイッチ７は、利用者により操作されると、ガス消火制御装置９に対して停止信号を出力する。
【００１８】
放出表示灯８は、防護区画内に噴射ヘッド３から消火ガスが放出されていることを警告するための表示装置である。放出表示灯８は、防護区画の出入口付近の壁面に設置され、信号線を介してガス消火制御装置９と接続されている。放出表示灯８は、ガス消火制御装置９から起動信号が入力されると、点灯する。
【００１９】
ガス消火制御装置９は、防護区画に設置された端末装置と、信号線を介して接続される火災受信機１０との間で信号を中継するための中継装置である。ここで、防護区画に設置された端末装置には、ベル４、ストロボ５、手動放出スイッチ６、緊急停止スイッチ７及び放出表示灯８が含まれる。ガス消火制御装置９の具体的な構成については後述する。
【００２０】
火災受信機１０は、ガス系消火設備１の消火動作を制御する装置である。火災受信機１０の具体的な構成については後述する。
【００２１】
消火ガス貯蔵容器１１は、二酸化炭素やハロンガス等の消火ガスを貯蔵する容器である。消火ガス貯蔵容器１１の各々は、容器弁を介して集合配管に接続されている。この集合配管は、防護区画ごとに設置される選択弁１２を介して分枝されている。分枝された配管は、それぞれ異なる防護区画に設置された噴射ヘッド３に接続されている。
【００２２】
起動用ガス容器１３は、消火ガス貯蔵容器１１の容器弁と選択弁１２を開放するための起動用ガスを貯蔵する容器である。起動用ガス容器１３は、選択弁１２ごとに（言い換えると、防護区画ごとに）設置されている。起動用ガス容器１３の各々は、消火ガス貯蔵容器１１の容器弁と、対応する選択弁１２とに配管を介して接続されている。また、起動用ガス容器１３の各々の容器弁ソレノイドは、中継器１４を介して信号線で火災受信機１０と接続されている。火災受信機１０から中継器１４に起動信号が入力されると、中継器１４はこの容器弁ソレノイドを作動させ、起動用ガス容器１３から起動用ガスを放出させる。その起動用ガスのガス圧により、消火ガス貯蔵容器１１の容器弁と、対応する選択弁１２を開放する。その結果、消火ガス貯蔵容器１１に貯蔵された消火ガスは、当該選択弁１２により分枝される配管を通って、当該配管に接続されている噴射ヘッド３から放出される。
【００２３】
次に、ガス消火制御装置９の具体的な構成について説明する。
【００２４】
図２は、ガス消火制御装置９の正面図である。同図に示すガス消火制御装置９は、直方体形状の筺体９１を備え、その筺体９１の正面に、状態表示灯９２１、カウントダウン表示器９２２及びモード選択スイッチ９３を備える。
【００２５】
状態表示灯９２１は、ガス消火制御装置９の電源オン時に点灯する電源灯９２１１、自動モード選択中に点灯する自動モード表示灯９２１２、手動モード選択中に点灯する手動モード表示灯９２１３、消火ガスが放出されるまでのカウントダウン中に点灯する放出予告灯９２１４、消火ガス放出中に点灯する放出灯９２１５、手動放出スイッチ６が操作されると点灯する手動放出灯９２１６、及び緊急停止スイッチ７が操作されると点灯する緊急停止灯９２１７からなる。
【００２６】
カウントダウン表示器９２２は、消火ガスが放出されるまでのカウントダウンを表示する７セグメントディスプレイである。
【００２７】
モード選択スイッチ９３は、ガス消火制御装置９が設置されている防護区画における動作モードを、自動モードと手動モードの間で選択するためのキースイッチである。このモード選択スイッチ９３により選択される動作モードのうち、自動モードは、当該防護区画に設置された火災感知器２が火災を感知したとき、又は、当該防護区画に設置された手動放出スイッチ６が利用者により操作されたときに、当該防護区画内に消火ガスを放出させる動作モードである。一方、手動モードは、当該防護区画に設置された手動放出スイッチ６が利用者により操作されたときにのみ、当該防護区画内に消火ガスを放出させる動作モードである。このモード選択スイッチ９３を用いて選択された動作モードは、ガス消火制御装置９のアドレスと対応付けられて、後述する防護区画設定テーブルＴＢＬ２に格納される。
【００２８】
次に、図３は、ガス消火制御装置９の内部構成を示す図である。同図に示すガス消火制御装置９は、筺体９１内に、表示部９２、上記のモード選択スイッチ９３、入出力制御部９４を収容する。
【００２９】
表示部９２は、上記の状態表示灯９２１及びカウントダウン表示器９２２からなる。
【００３０】
入出力制御部９４は、マイクロコントローラを備える。入出力制御部９４は、信号線を介して火災受信機１０と表示部９２とに接続され、火災受信機１０から出力される信号を受けて表示部９２を起動する。
【００３１】
また、入出力制御部９４は、信号線を介してモード選択スイッチ９３に接続され、モード選択スイッチ９３から出力される信号を火災受信機１０に中継する。
【００３２】
また、入出力制御部９４は、信号線を介して手動放出スイッチ６に接続され、手動放出スイッチ６から出力される起動信号を火災受信機１０に中継する。
【００３３】
また、入出力制御部９４は、信号線を介して緊急停止スイッチ７に接続され、緊急停止スイッチ７から出力される停止信号を火災受信機１０に中継する。
【００３４】
また、入出力制御部９４は、信号線を介してベル４に接続され、火災受信機１０から出力される起動信号を受けてベル４を起動する。
【００３５】
また、入出力制御部９４は、信号線を介してストロボ５に接続され、火災受信機１０から出力される起動信号を受けてストロボ５を起動する。
【００３６】
また、入出力制御部９４は、信号線を介して放出表示灯８に接続され、火災受信機１０から出力される起動信号を受けて放出表示灯８を起動する。
【００３７】
次に、火災受信機１０の具体的な構成について説明する。
【００３８】
図４は、火災受信機１０の内部構成を示すブロック図である。同図に示す火災受信機１０は、制御部１０１、表示部１０２、ブザー１０３及び伝送部１０４を備える。
【００３９】
制御部１０１は、プロセッサ１０１１と、制御プログラムＰを記憶するメモリ１０１２を備える。プロセッサ１０１１は、メモリ１０１２に記憶される制御プログラムＰを起動して、後述する受信動作と消火動作を実行する。この制御部１０１の詳細については後述する。
【００４０】
表示部１０２は、火災灯１０２１、放出予告灯１０２２、放出灯１０２３及びカウントダウン表示器１０２４を備える。火災灯１０２１は、１個の火災感知器２が作動するか、手動放出スイッチ６が操作されると点灯する。放出予告灯１０２２は、２個の火災感知器２が作動すると、消火ガスが放出されるまでのカウントダウン中に点灯する。放出灯１０２３は、消火ガス放出中に点灯する。カウントダウン表示器１０２４は、消火ガスが放出されるまでのカウントダウンを表示する７セグメントディスプレイである。
【００４１】
ブザー１０３は、火災の発生を警告するための音響装置である。
【００４２】
伝送部１０４は、火災感知器２、ガス消火制御装置９及び中継器１４と信号線を介して接続され、これらの装置と信号の送受信を行う。
【００４３】
次に、制御部１０１の詳細について説明する。
制御部１０１のメモリ１０１２は、上記の制御プログラムＰに加えて、連動制御テーブルＴＢＬ１と防護区画設定テーブルＴＢＬ２を記憶する。
【００４４】
連動制御テーブルＴＢＬ１は、火災受信機１０においてイベントが発生した時に、連動して実行すべき処理を特定するために参照されるテーブルである。この連動制御テーブルＴＢＬ１には、火災受信機１０で発生するイベントごとに、実行すべき処理が対応付けられている。例えば、動作モードが自動モードである防護区画に設置されている火災感知器２から最初の作動信号を受信するというイベントに対して、盤面の警報動作という処理とベル４の間欠鳴動という処理が対応付けられている。また、別の例として、カウントダウンの終了というイベントに対して、中継器１４に起動信号を出力するという処理が対応付けられている。
【００４５】
防護区画設定テーブルＴＢＬ２は、防護区画単位で連動する機器を特定するために参照されるテーブルである。また、このテーブルは、防護区画の動作モードを判定するために参照されるテーブルである。この防護区画設定テーブルＴＢＬ２には、防護区画のＩＤごとに、連動する火災感知器２、ガス消火制御装置９及び中継器１４のアドレスが対応付けられている。また、ガス消火制御装置９のアドレスごとに、連動するベル４、ストロボ５、手動放出スイッチ６、緊急停止スイッチ７及び放出表示灯８のアドレス並びに動作モードが対応付けられている。このテーブルでは、防護区画のＩＤとその動作モードが、ガス消火制御装置９のアドレスを介して対応付けられている。
【００４６】
この防護区画設定テーブルＴＢＬ２は、火災受信機１０とは別の機器である、スマートホンやタブレット端末等の情報処理装置上で編集される。そして、編集された防護区画設定テーブルＴＢＬ２は、ＳＤカード等の記憶媒体や有線又は無線通信を介して、火災受信機１０のメモリ１０１２に格納される。
【００４７】
次に、プロセッサ１０１１が上記の制御プログラムＰを実行することで実現する機能について説明する。
プロセッサ１０１１は、上記の制御プログラムＰを実行することで、受信部１０５、動作モード判定部１０６、処理特定部１０７及び処理実行部１０８の各機能を実現する。以下、各機能について説明する。
【００４８】
受信部１０５は、火災感知器２とガス消火制御装置９の各々からポーリング／セレクティング方式で信号を受信する。具体的には、火災感知器２とガス消火制御装置９に対して通常ポイントポーリングを行って、応答した装置から信号を収集する。
【００４９】
ここで、通常ポイントポーリングとは、建物Ｂに設置されている火災感知器２とガス消火制御装置９を複数のグループに分け、グループ単位で順番に行われるポーリングである。各通常ポイントポーリングでは、グループに属する装置の各々に対して通常応答タイミングが設定される。出力すべき信号を有する装置は、受信部１０５から出力されるポーリング信号に応答して、自装置に設定された応答タイミングにおいて信号とアドレスを出力する。また、各通常ポイントポーリングでは、建物Ｂに設置されているすべてのガス消火制御装置９のみを含む１つのグループに対して、特別応答タイミングが設定される。出力すべき信号を有するガス消火制御装置９は、受信部１０５から出力されるポーリング信号に応答して、当該グループに設定された応答タイミングにおいてアドレスのみを出力する。ここで、ガス消火制御装置９用の特別応答タイミングを別途設定する理由は、ガス消火制御装置９から出力される停止信号を火災受信機１０が迅速に受信するためである。ガス消火制御装置９には火災感知器２よりも１台あたりにつき多くの応答タイミングが設定されるため、ガス消火制御装置９から出力される停止信号は火災感知器２から出力される作動信号と比較して、火災受信機１０により優先的に受信されることになる。
【００５０】
図５は、この通常システムポーリングの一例を示すタイムチャートである。同図は、建物Ｂに設置されている火災感知器２とガス消火制御装置９を３つのグループに分け、グループ単位で順番に行われる通常ポイントポーリングＰＬ１、ＰＬ２及びＰＬ３を示している。通常ポイントポーリングＰＬ１では、グループに属する装置の各々に対して通常応答タイミングＴ０、Ｔ１、Ｔ２及びＴ３のいずれかが設定されている。また、すべてのガス消火制御装置９のみを含む１つのグループに対して、特別応答タイミングＴｇが設定されている。出力すべき信号を有する装置は、受信部１０５から出力されるポーリング信号Ｓ１に応答して、自装置に設定された応答タイミングにおいて応答する。
【００５１】
通常ポイントポーリングＰＬ２では、グループに属する装置の各々に対して通常応答タイミングＴ４、Ｔ５、Ｔ６及びＴ７のいずれかが設定されている。また、すべてのガス消火制御装置９のみを含む１つのグループに対して、特別応答タイミングＴｇが設定されている。出力すべき信号を有する装置は、受信部１０５から出力されるポーリング信号Ｓ２に応答して、自装置に設定された応答タイミングにおいて応答する。
【００５２】
通常ポイントポーリングＰＬ３では、グループに属する装置の各々に対して通常応答タイミングＴ８、Ｔ９、Ｔ１０及びＴ１１のいずれかが設定されている。また、すべてのガス消火制御装置９のみを含む１つのグループに対して、特別応答タイミングＴｇが設定されている。出力すべき信号を有する装置は、受信部１０５から出力されるポーリング信号Ｓ３に応答して、自装置に設定された応答タイミングにおいて応答する。
【００５３】
この通常ポイントポーリングの特別応答タイミングのいずれかで応答が行われると、受信部１０５は、当該応答を行ったガス消火制御装置９に対して状態確認セレクティングを行い、当該装置から信号を収集する。
【００５４】
なお、図５に示す通常ポイントポーリングＰＬの数と、各通常ポイントポーリングＰＬの通常応答タイミングＴの数はあくまで一例である。これらの数は、建物Ｂに設置される火災感知器２とガス消火制御装置９の台数に応じて適宜変更されてよい。例えば、火災感知器２とガス消火制御装置９が合計２５６台設置される建物Ｂでは、通常ポイントポーリングＰＬの数を「１６」とし、各通常ポイントポーリングＰＬの通常応答タイミングＴの数を「１６」としてもよい。
以上が、受信部１０５についての説明である。
【００５５】
次に、動作モード判定部１０６は、防護区画設定テーブルＴＢＬ２を参照して、防護区画に設定された動作モードを判定する。
【００５６】
処理特定部１０７は、連動制御テーブルＴＢＬ１を参照して、火災受信機１０で発生したイベントに連動して実行すべき処理を特定する。そして、特定した処理の情報をバッファに格納する。バッファには、通常バッファと優先バッファの２種類がある。優先バッファには、カウントダウンを停止する処理の情報が格納され、通常バッファには、その他の処理の情報が格納される。ここで、優先バッファにカウントダウンを停止する処理の情報を格納する理由は、当該処理の実行を優先するためである。
【００５７】
処理実行部１０８は、通常バッファ及び優先バッファに格納されている処理情報を読み出して、読み出した処理情報に示される処理を実行する。その際、処理実行部１０８は、通常バッファに格納されている処理情報よりも優先バッファに格納されている処理情報を優先して読み出す。具体的には、優先バッファに処理情報が格納された場合には、当該処理情報よりも前に通常バッファに処理情報が格納されていたとしても、優先バッファに格納された処理情報を先に読み出す。そのため、処理実行部１０８は、火災感知器２から出力される作動信号に応じた処理や手動放出スイッチ６から出力される起動信号に応じた処理よりも、緊急停止スイッチ７から出力される停止信号に応じた処理を優先して実行することになる。
この処理実行部１０８は、連動して制御すべき処理を実行する際、防護区画設定テーブルＴＢＬ２を参照して、防護区画単位で連動する機器を特定する。
【００５８】
１−２．動作
次に、ガス系消火設備１の動作について説明する。具体的には、火災受信機１０の受信部１０５が実行する受信動作と、ガス系消火設備１で行われる消火動作について説明する。
【００５９】
１−２−１．受信動作
図６は、火災受信機１０の受信部１０５が実行する受信動作を示すフローチャートである。
同図に示す受信動作において受信部１０５は、まず、建物Ｂに設置されている火災感知器２とガス消火制御装置９により形成されるグループの番号を示す変数ｇを「０」に設定する（ステップＳａ１）。次に、設定されているグループ番号が示すグループに対して通常ポイントポーリングを実行する（ステップＳａ２）。この通常システムポーリングの特別応答タイミングで応答が行われると（ステップＳａ３のＹＥＳ）、受信部１０５は、当該応答を行ったガス消火制御装置９に対して状態確認セレクティングを行い、当該装置から信号を収集する（ステップＳａ４）。そして、ステップＳａ５に進む。一方、特別応答タイミングで応答が行われなかった場合には（ステップＳａ３のＮＯ）、ステップＳａ４を実行せずにステップＳａ５に進む。
【００６０】
ステップＳａ５では、受信部１０５は、変数ｇを「１」インクリメントする。この結果、変数ｇがグループの総数を示す値Ｇを超えた場合には（ステップＳａ６のＹＥＳ）、受信部１０５はステップＳａ１に戻り、変数ｇを再び「０」に設定する。一方、変数ｇがグループの総数を示す値Ｇを超えない場合には（ステップＳａ６のＮＯ）、受信部１０５はステップＳａ２に戻り、設定されているグループ番号が示すグループに対して通常ポイントポーリングを実行する。
以上が、火災受信機１０の受信部１０５が実行する受信動作についての説明である。
【００６１】
１−２−２．消火動作
次に、ガス系消火設備１で行われる消火動作について説明する。具体的には、動作モードが自動モードに設定されている防護区画に対する消火動作について説明する。また、動作モードが手動モードに設定されている防護区画に対する消火動作について説明する。
【００６２】
１−２−２−１．自動モード
図７及び図８は、動作モードが自動モードに設定されている防護区画に対する消火動作の一例を示すシーケンス図である。
動作モードが自動モードに設定されている防護区画（以下、本動作の説明において「防護区画Ｐ１」という。）において火災が発生し、発生した火災が、防護区画Ｐ１に設置されている火災感知器２により感知されると、当該火災感知器２は火災受信機１０に対して作動信号を出力する。この作動信号が入力された火災受信機１０の制御部１０１は（ステップＳｂ１）、火災受信機１０の火災灯１０２１を点灯させるとともに、ブザー１０３を鳴動させる（ステップＳｂ２）。その結果、監視室Ｒ４に滞在する監視員は、防護区画Ｐ１において火災が感知されたことを知ることができる。
【００６３】
また、制御部１０１は、防護区画Ｐ１に設置されているベル４を間欠鳴動させるために、防護区画Ｐ１に設置されているガス消火制御装置９に対して起動信号を出力する（ステップＳｂ３）。この起動信号を受けて、ガス消火制御装置９の入出力制御部９４は、ベル４を間欠鳴動させる（ステップＳｂ４）。その結果、防護区画Ｐ１に滞在する者は、当該防護区画Ｐ１において火災が感知されたことを知ることができる。
【００６４】
その後、防護区画Ｐ１において別の火災感知器２により火災が感知されると、当該別の火災感知器２は火災受信機１０に対して作動信号を出力する。この作動信号が入力された火災受信機１０の制御部１０１は（ステップＳｂ５）、２つの異なる火災感知器２から作動信号が入力されたことをもって、カウントダウン条件が充足されたと判定する。そして、防護区画Ｐ１内に消火ガスが放出されるまでのカウントダウン（例えば、６０秒）を開始し、当該カウントダウンをカウントダウン表示器１０２４に表示させる（ステップＳｂ６）。また、制御部１０１は、火災受信機１０の放出予告灯１０２２を点灯させる（ステップＳｂ７）。その結果、監視室Ｒ４に滞在する監視員は、防護区画Ｐ１内に消火ガスが放出されることと、放出されるまでの秒数を知ることができる。
【００６５】
また、制御部１０１は、防護区画Ｐ１に設置されているガス消火制御装置９において放出予告灯９２１４を点滅させるとともに、カウントダウン表示器９２２に上記のカウントダウンを表示させるために、当該ガス消火制御装置９に対して起動信号を出力する（ステップＳｂ８）。この起動信号を受けて、ガス消火制御装置９の入出力制御部９４は、表示部９２を制御する。表示部９２のうち、カウントダウン表示器９２２は、防護区画Ｐ１内に消火ガスが放出されるまでのカウントダウンを表示し（ステップＳｂ９）、放出予告灯９２１４は点滅する（ステップＳｂ１０）。その結果、このガス消火制御装置９の表示面を見た者は、防護区画Ｐ１内に消火ガスが放出されることと、放出されるまでの秒数を知ることができる。
【００６６】
なお、カウントダウン表示器９２２に表示される残り時間は、火災受信機１０のカウントダウン表示器１０２４に表示される残り時間よりも早めにしてもよい。これにより、カウントダウン表示器９２２に表示されるカウントダウンが終了する前に緊急停止スイッチ７を操作したにもかかわらず、噴射ヘッド３から消火ガスが放出されてしまうという事態がより確実に防止される。
【００６７】
また、火災受信機１０の制御部１０１は、防護区画Ｐ１に設置されているベル４を、より短い周期で間欠鳴動させるために、防護区画Ｐ１に設置されているガス消火制御装置９に対して起動信号を出力する（ステップＳｂ１１）。この起動信号を受けて、ガス消火制御装置９の入出力制御部９４は、ベル４をより短い周期で間欠鳴動させる（ステップＳｂ１２）。その結果、防護区画Ｐ１に滞在する者は、防護区画Ｐ１内に消火ガスが放出されることを知ることができる。
【００６８】
その後、火災受信機１０の制御部１０１によるカウントダウンが終了すると（ステップＳｂ１３）、制御部１０１はガス放出条件が充足されたと判定する。そして、防護区画Ｐ１内に消火ガスを放出するために、当該防護区画Ｐ１のために設置されている起動用ガス容器１３の容器弁ソレノイドを制御する中継器１４に対して起動信号を出力する（ステップＳｂ１４）。この起動信号が中継器１４に入力されると、中継器１４は容器弁ソレノイドを作動させ、当該起動用ガス容器１３から起動用ガスを放出させる。そして、その起動用ガスのガス圧により、消火ガス貯蔵容器１１の容器弁と、防護区画Ｐ１のために設置されている選択弁１２を開放する。その結果、消火ガス貯蔵容器１１に貯蔵された消火ガスは、当該選択弁１２により分枝される配管を通って、防護区画Ｐ１に設置されている噴射ヘッド３から放出される。
【００６９】
選択弁１２が開放されると、図示せぬ圧力スイッチが作動して、火災受信機１０に対して作動信号を出力する。この作動信号が入力された火災受信機１０の制御部１０１は（ステップＳｂ１５）、火災受信機１０の放出予告灯９２１４を消灯し、代わりに放出灯１０２３を点灯させる（ステップＳｂ１６）。その結果、監視室Ｒ４に滞在する監視員は、防護区画Ｐ１内に消火ガスが放出されていることを知ることができる。
【００７０】
また、制御部１０１は、防護区画Ｐ１に設置されているガス消火制御装置９において放出灯９２１５を点灯させるために、当該ガス消火制御装置９に対して起動信号を出力する（ステップＳｂ１７）。この起動信号を受けて、ガス消火制御装置９の入出力制御部９４は、表示部９２を制御する。表示部９２のうち、放出予告灯９２１４は消灯し、代わりに放出灯９２１５が点灯する（ステップＳｂ１８）。その結果、このガス消火制御装置９の表示面を見た者は、防護区画Ｐ１内に消火ガスが放出されていることを知ることができる。
【００７１】
また、火災受信機１０の制御部１０１は、防護区画Ｐ１に設置されているベル４を連続鳴動させるために、防護区画Ｐ１に設置されているガス消火制御装置９に対して起動信号を出力する（ステップＳｂ１９）。この起動信号を受けて、ガス消火制御装置９の入出力制御部９４は、ベル４を連続鳴動させる（ステップＳｂ２０）。その結果、防護区画Ｐ１に滞在する者は、防護区画Ｐ１内に消火ガスが放出されていることを知ることができる。
【００７２】
また、火災受信機１０の制御部１０１は、防護区画Ｐ１に設置されているストロボ５を発光させるために、防護区画Ｐ１に設置されているガス消火制御装置９に対して起動信号を出力する（ステップＳｂ２１）。この起動信号を受けて、ガス消火制御装置９の入出力制御部９４は、ストロボ５を発光させる（ステップＳｂ２２）。その結果、防護区画Ｐ１に滞在する者は、防護区画Ｐ１内に消火ガスが放出されていることを視覚的に知ることができる。
【００７３】
また、火災受信機１０の制御部１０１は、防護区画Ｐ１に設置されている放出表示灯８を点灯させるために、防護区画Ｐ１に設置されているガス消火制御装置９に対して起動信号を出力する（ステップＳｂ２３）。この起動信号を受けて、ガス消火制御装置９の入出力制御部９４は、放出表示灯８を点灯させる（ステップＳｂ２４）。その結果、防護区画Ｐ１の出入口付近にいる者は、防護区画Ｐ１内に消火ガスが放出されていることを知ることができる。
以上が、動作モードが自動モードに設定されている防護区画に対する消火動作についての説明である。
【００７４】
なお、上記の消火動作において、防護区画Ｐ１に滞在する者が火災に気づき、当該防護区画Ｐ１に設置されている手動放出スイッチ６を操作した場合には、当該手動放出スイッチ６は起動信号を出力する。この起動信号は、防護区画Ｐ１に設置されているガス消火制御装置９の入出力制御部９４により中継されて、火災受信機１０に入力される。この起動信号が入力された火災受信機１０の制御部１０１は、別の火災感知器２からの作動信号の出力を待たずに、上記のステップＳｂ６以降を実行する。加えて、防護区画Ｐ１に設置されているガス消火制御装置９において手動放出灯９２１６を点灯させるために、当該ガス消火制御装置９に対して起動信号を出力する。この起動信号を受けて、ガス消火制御装置９の入出力制御部９４は、表示部９２の手動放出灯９２１６を点灯させる。
【００７５】
また、上記の消火動作において、カウントダウンの開始後に、防護区画Ｐ１に滞在する者が非火災を確認し、防護区画Ｐ１に設置されている緊急停止スイッチ７を操作すると、当該緊急停止スイッチ７は停止信号を出力する。この停止信号は、防護区画Ｐ１に設置されているガス消火制御装置９の入出力制御部９４により中継されて、火災受信機１０に入力される。この停止信号が入力された火災受信機１０の制御部１０１は、カウントダウンを停止する。加えて、防護区画Ｐ１に設置されているガス消火制御装置９においてカウントダウン表示器９２２に表示されているカウントダウンを停止させるとともに、緊急停止灯９２１７を点灯させるために、当該ガス消火制御装置９に対して起動信号を出力する。この起動信号を受けて、ガス消火制御装置９の入出力制御部９４は、表示部９２を制御する。表示部９２のうち、カウントダウン表示器９２２はカウントダウンを停止し、緊急停止灯９２１７は点灯する。
【００７６】
１−２−２−２．手動モード
図９は、動作モードが手動モードに設定されている防護区画に対する消火動作の一例を示すシーケンス図である。
動作モードが手動モードに設定されている防護区画（以下、本動作の説明において「防護区画Ｐ２」という。）において火災が発生し、この火災に気づいた者が、防護区画Ｐ２に設置されている手動放出スイッチ６を操作すると、当該手動放出スイッチ６は起動信号を出力する（ステップＳｃ１）。この起動信号は、防護区画Ｐ２に設置されているガス消火制御装置９の入出力制御部９４により中継されて、火災受信機１０に入力される（ステップＳｃ２）。この起動信号が入力された火災受信機１０の制御部１０１は、火災受信機１０の火災灯１０２１を点灯させるとともに、ブザー１０３を連続鳴動させる（ステップＳｃ３）。
【００７７】
また、制御部１０１は、手動放出スイッチ６が操作されたことをもって、カウントダウン条件が充足されたと判定する。そして、防護区画Ｐ２内に消火ガスが放出されるまでのカウントダウン（例えば、２５秒）を開始し、当該カウントダウンをカウントダウン表示器１０２４に表示させる（ステップＳｃ４）。また、制御部１０１は、火災受信機１０の放出予告灯１０２２を点灯させる（ステップＳｃ５）。
【００７８】
また、制御部１０１は、防護区画Ｐ２に設置されているガス消火制御装置９において放出予告灯９２１４を点滅及び手動放出灯９２１６を点灯させるとともに、カウントダウン表示器９２２に上記のカウントダウンを表示させるために、当該ガス消火制御装置９に対して起動信号を出力する（ステップＳｃ６）。この起動信号を受けて、ガス消火制御装置９の入出力制御部９４は、表示部９２を制御する。表示部９２のうち、カウントダウン表示器９２２は、防護区画Ｐ２内に消火ガスが放出されるまでのカウントダウンを表示し（ステップＳｃ７）、放出予告灯９２１４は点滅し、手動放出灯９２１６は点灯する（ステップＳｃ８）。
【００７９】
なお、カウントダウン表示器９２２に表示される残り時間は、火災受信機１０のカウントダウン表示器１０２４に表示される残り時間よりも早めにしてもよい。
【００８０】
また、火災受信機１０の制御部１０１は、防護区画Ｐ２に設置されているベル４を短い周期で間欠鳴動させるために、防護区画Ｐ２に設置されているガス消火制御装置９に対して起動信号を出力する（ステップＳｃ９）。この起動信号を受けて、ガス消火制御装置９の入出力制御部９４は、ベル４を短い周期で間欠鳴動させる（ステップＳｃ１０）。
【００８１】
その後、火災受信機１０の制御部１０１によるカウントダウンが終了すると（ステップＳｃ１１）、制御部１０１はガス放出条件が充足されたと判定する。そして、防護区画Ｐ２内に消火ガスを放出するために、当該防護区画Ｐ２のために設置されている起動用ガス容器１３の容器弁ソレノイドを制御する中継器１４に対して起動信号を出力する（ステップＳｃ１２）。この起動信号が中継器１４に入力されると、中継器１４は容器弁ソレノイドを作動させ、当該起動用ガス容器１３から起動用ガスを放出させる。そして、その起動用ガスのガス圧により、消火ガス貯蔵容器１１の容器弁と、防護区画Ｐ２のために設置されている選択弁１２を開放する。その結果、消火ガス貯蔵容器１１に貯蔵された消火ガスは、当該選択弁１２により分枝される配管を通って、防護区画Ｐ２に設置されている噴射ヘッド３から放出される。
【００８２】
選択弁１２が開放されると、図示せぬ圧力スイッチが作動して、火災受信機１０に対して作動信号を出力する。この作動信号が入力された火災受信機１０の制御部１０１は（ステップＳｃ１３）、火災受信機１０の放出予告灯９２１４を消灯し、代わりに放出灯１０２３を点灯させる（ステップＳｃ１４）。
【００８３】
また、制御部１０１は、防護区画Ｐ２に設置されているガス消火制御装置９において放出灯９２１５を点灯させるために、当該ガス消火制御装置９に対して起動信号を出力する（ステップＳｃ１５）。この起動信号を受けて、ガス消火制御装置９の入出力制御部９４は、表示部９２を制御する。表示部９２のうち、放出予告灯９２１４は消灯し、代わりに放出灯９２１５が点灯する（ステップＳｃ１６）。
【００８４】
また、火災受信機１０の制御部１０１は、防護区画Ｐ２に設置されているベル４を連続鳴動させるために、防護区画Ｐ２に設置されているガス消火制御装置９に対して起動信号を出力する（ステップＳｃ１７）。この起動信号を受けて、ガス消火制御装置９の入出力制御部９４は、ベル４を連続鳴動させる（ステップＳｃ１８）。
【００８５】
また、火災受信機１０の制御部１０１は、防護区画Ｐ２に設置されているストロボ５を発光させるために、防護区画Ｐ２に設置されているガス消火制御装置９に対して起動信号を出力する（ステップＳｃ１９）。この起動信号を受けて、ガス消火制御装置９の入出力制御部９４は、ストロボ５を発光させる（ステップＳｃ２０）。
【００８６】
また、火災受信機１０の制御部１０１は、防護区画Ｐ２に設置されている放出表示灯８を点灯させるために、防護区画Ｐ２に設置されているガス消火制御装置９に対して起動信号を出力する（ステップＳｃ２１）。この起動信号を受けて、ガス消火制御装置９の入出力制御部９４は、放出表示灯８を点灯させる（ステップＳｃ２２）。
以上が、動作モードが手動モードに設定されている防護区画に対する消火動作についての説明である。
【００８７】
以上説明した実施形態に係る火災受信機１０は、上記の通り、緊急停止スイッチ７から出力される停止信号を、火災感知器２から出力される作動信号よりも優先的に受信する。また、火災受信機１０は、上記の通り、この停止信号の受信に連動して実行されるべきカウントダウンを停止する処理を優先的に実行する。そのため、緊急停止スイッチ７が操作されてから火災受信機１０がカウントダウンを停止するまでに要する遅延時間が短縮される。その結果、ガス消火制御装置９に表示されるカウントダウンを終了する前に緊急停止スイッチ７を操作したにもかかわらず、噴射ヘッド３から消火ガスが放出されてしまうという事態が防止される。
【００８８】
２．変形例
上記の実施形態は以下のように変形してもよい。以下に記載する変形例は互いに組み合わせてもよい。
【００８９】
２−１．変形例１
防護区画に設置する音響装置として、ベル４に代えてホーンを採用してもよい。
【００９０】
２−２．変形例２
上記の建物Ｂでは、１つの防護区画につき、１台のガス消火制御装置９が設置されている。しかし、出入口を２カ所有する防護区画については、２台のガス消火制御装置９を設置してもよい。その場合、火災受信機１０の防護区画設定テーブルＴＢＬ２には、その防護区画のＩＤに対応付けて、２台のガス消火制御装置９のアドレスが格納されることになる。また、２台のガス消火制御装置９のアドレスの各々について動作モードが対応付けられることになる。すなわち、その防護区画のＩＤに２つの動作モードが対応付けられることになる。これら２つの動作モードが共通する場合には、その防護区画の動作モードを一意に判定することができる。しかし、これら２つの動作モードが相違する場合には、その防護区画が自動モードであるのか手動モードであるのかを判定することができない。その結果、火災受信機１０による消火動作が停止してしまう。そこで、そのような事態を回避するために、火災受信機１０の動作モード判定部１０６は、防護区画に対応付けられている２つの動作モードが相違する場合に、一律に手動モードと判定するようにしてもよい。
【００９１】
２−３．変形例３
上記の手動モード時に実行される消火動作において、カウントダウンの開始後に、防護区画Ｐ２に滞在する者が非火災を確認し、防護区画Ｐ２に設置されている緊急停止スイッチ７を操作した場合に、当該緊急停止スイッチ７は停止信号を出力してもよい。この停止信号は、防護区画Ｐ２に設置されているガス消火制御装置９の入出力制御部９４により中継されて、火災受信機１０に入力される。この停止信号が入力された火災受信機１０の制御部１０１は、カウントダウンを停止する。加えて、防護区画Ｐ２に設置されているガス消火制御装置９においてカウントダウン表示器９２２に表示されているカウントダウンを停止させるとともに、緊急停止灯９２１７を点灯させるために、当該ガス消火制御装置９に対して起動信号を出力する。この起動信号を受けて、ガス消火制御装置９の入出力制御部９４は、表示部９２を制御する。表示部９２のうち、カウントダウン表示器９２２はカウントダウンを停止し、緊急停止灯９２１７は点灯する。
【００９２】
２−４．変形例４
火災感知器２に代えてアナログ式火災感知器を使用してもよい。その場合、火災感知器２に代えて火災受信機１０が火災の発生を判定する。具体的には、火災受信機１０は、アナログ式火災感知器から定期的に感知器信号としてアナログ値（例えば、煙濃度を示す値）を受信し、受信したアナログ値を所定の閾値と比較し、受信したアナログ値が所定の閾値を超えたときに火災が発生したと判定する。
【符号の説明】
【００９３】
１…ガス系消火設備、２…火災感知器、３…噴射ヘッド、４…ベル、５…ストロボ、６…手動放出スイッチ、７…緊急停止スイッチ、８…放出表示灯、９…ガス消火制御装置、１０…火災受信機、１１…消火ガス貯蔵容器、１２…選択弁、１３…起動用ガス容器、１４…中継器、９１…筺体、９２…表示部、９３…モード選択スイッチ、９４…入出力制御部、１０１…制御部、１０２…表示部、１０３…ブザー、１０４…伝送部、１０５…受信部、１０６…動作モード判定部、１０７…処理特定部、１０８…処理実行部、９２１…状態表示灯、９２２…カウントダウン表示器、１０１１…プロセッサ、１０１２…メモリ、１０２１…火災灯、１０２２…放出予告灯、１０２３…放出灯、１０２４…カウントダウン表示器、９２１１…電源灯、９２１２…自動モード表示灯、９２１３…手動モード表示灯、９２１４…放出予告灯、９２１５…放出灯、９２１６…手動放出灯、９２１７…緊急停止灯、Ｂ…建物、Ｐ…制御プログラム、ＰＬ１、ＰＬ２、ＰＬ３…通常ポイントポーリング、Ｒ１〜Ｒ３…部屋、Ｒ４…監視室、Ｒ５…シリンダ室、Ｓ１、Ｓ２、Ｓ３…ポーリング信号、Ｔ０〜Ｔ１１…通常応答タイミング、ＴＢＬ１…連動制御テーブルＴＢＬ１、ＴＢＬ２…防護区画設定テーブル、Ｔｇ…特別応答タイミング
【要約】
【課題】利用者が緊急停止スイッチを用いてカウントダウンの停止処理を遠隔で指示したときに、当該処理が火災受信機において実行されるまでに要する遅延時間を短縮する。
【解決手段】火災受信機１０は、火災感知器２から出力される感知器信号又は手動放出スイッチ６から出力される起動信号を受信すると、カウントダウンを開始する。このカウントダウンの終了前に緊急停止スイッチ７から出力される停止信号を受信すると、当該カウントダウンを停止する。このカウントダウンが終了すると、噴射ヘッド３から消火ガスを放出させる。この火災受信機１０は、緊急停止スイッチ７から出力される停止信号を、火災感知器２から出力される感知器信号よりも優先して受信する。
【選択図】図１【図１】
0006830143.tif 000002
【図２】
0006830143.tif 000003
【図３】
0006830143.tif 000004
【図４】
0006830143.tif 000005
【図５】
0006830143.tif 000006
【図６】
0006830143.tif 000007
【図７】
0006830143.tif 000008
【図８】
0006830143.tif 000009
【図９】
0006830143.tif 000010